(57)【要約】【課題】隣接チャンネルの混信による影響を抑止したアナログ／デジタル兼用チューナを提供する。【解決手段】ミキサーの出力信号を増幅するＩＦ＿ＡＭＰと、前記ＩＦ＿ＡＭＰの出力信号の大きさを検出しＲＦ＿ＡＭＰに対してＲＦ＿ＡＧＣ動作を指示するレベル検出部と、アナログ放送およびデジタル放送の両方において処理を行うフロントエンド部と、アナログ放送受信時に復調動作するアナログ復調部と、デジタル放送受信時に復調動作するデジタル復調部とを備え、アナログ受信時はＲＦ＿ＡＧＣ検出をＩＦ  ＳＡＷフィルターを通過する前段に配置することにより隣接にある強入力レベルを検出しＲＦ  ＡＭＰに必要なＧＲ(GAIN  REDUCTION)をかけ隣接混信性能向上を計る、ＲＦ＿ＡＧＣ動作の不要な中弱電界でのＡＧＣはこれまでの同期先端レベル検出によるＩＦ＿ＡＧＣを利用することを特徴とするアナログ／デジタル兼用チューナ。【選択図】  図１
2010199853.tif 000002
【特許請求の範囲】
【請求項１】
放送を受信するためのアンテナにより受信した信号を増幅するＲＦ＿ＡＭＰと、
選局された番組を受信するための発振周波数を発振する発振器と、
前記発振器からの信号と前記ＲＦ＿ＡＭＰからの信号をミックスするミキサーと、
前記ミキサーの出力信号を増幅するＩＦ＿ＡＭＰと、
前記ＩＦ＿ＡＭＰの出力信号の大きさを検出し前記ＲＦ＿ＡＭＰに対してＲＦ＿ＡＧＣ動作を指示するレベル検出部とを備えたアナログ放送およびデジタル放送の両方において処理を行うフロントエンド部と、
アナログ放送受信時に復調動作する同期先端レベル検出によるIF AGC機能を備えたアナログ復調部と、
デジタル放送受信時に復調動作するデジタル復調部とを備えたことを特徴とするアナログ／デジタル兼用チューナ。
【請求項２】
アナログ受信時はＩＦ  ＳＡＷフィルターの前段に配置されたＲＦ＿ＡＧＣレベル検出部により隣接にある強入力レベルを検出しＲＦ  ＡＭＰに必要なＧＲ(GAIN  REDUCTION)をかけ隣接混信性能向上を計る、ＲＦ＿ＡＧＣ動作の不要な中弱電界でのＡＧＣはこれまでの同期先端レベル検出によるＩＦ＿ＡＧＣを利用する、前記レベル検出部はＩＦアンプの出力信号のピークレベルを検出することを特徴とする請求項１記載のアナログ／デジタル兼用チューナ。
【請求項３】
前記レベル検出部はアナログ放送受信時とデジタル放送受信時でそれぞれ任意のＲＦ＿ＡＧＣ動作開始点を設定することを特徴とする請求項１記載のアナログ／デジタル兼用チューナ。
【請求項４】
前記アナログ／デジタル兼用チューナの出力を表示する表示装置を備えたことを特徴とする請求項１乃至３のいずれか１項に記載のテレビジョン受信装置。
【発明の詳細な説明】
【技術分野】
【０００１】
本発明は、アナログ放送又はデジタル放送を受信するアナログ／デジタル兼用チューナに係わり、特にそのＡＧＣシステムに関する。
【背景技術】
【０００２】
従来、アナログ放送用チューナとデジタル放送用のチューナを兼用したチューナを備えたテレビジョン受像機が知られている（例えば、特許文献１参照）。
特許文献１に記載されているテレビジョン受像機では、アナログ受信時ＳＡＷフィルター通過後の地上アナログＩＦ復調ＩＣでＲＦ＿ＡＧＣ制御を行うため、隣接する高レベル信号が入力しても受信している信号が高レベル信号でなければ充分なRF_AGC制御が得られず信号レベル差の大きな隣接チャンネルにより混信を受けやすい欠点があった。またアナログ／デジタルの異なるＲＦ＿ＡＧＣシステムの為、ＲＦ＿ＡＧＣ調整ボリューム及びＲＦ＿ＡＧＣスイッチ回路等を必要としていた。
【０００３】
ＡＧＣ(Automatic Gain Control、自動利得制御)は、ここで求められている位置づけとしてはＴＶ信号の地域／チャンネルによる弱〜強電界レベル変動を復調出力として一定レベルに保つ機能である。
【先行技術文献】
【特許文献】
【０００４】
【特許文献１】特開平１１−９８４２６号公報
【発明の概要】
【発明が解決しようとする課題】
【０００５】
本発明は、アナログ受信時の隣接チャンネルの混信による影響を抑止したアナログ／デジタル兼用チューナを提供することを目的とする。
【課題を解決するための手段】
【０００６】
上記の目的を達成するために、この発明においては、アナログ部をこれまでのＩＦ復調部内同期先端レベル検出によるＩＦ＿ＡＧＣ／ＲＦ＿ＡＧＣシステムに対し、同期先端レベル検出によるＩＦ＿ＡＧＣとＳＡＷフィルター前段にキャリアＰｅａｋレベル検出によるＲＦ＿ＡＧＣの組み合わせにする。
【０００７】
具体的には放送を受信するためのアンテナ端子に入力された信号を増幅するＲＦ＿ＡＭＰと、選局された番組を受信するための局部発振周波数を発振する発振器と、前記発振器からの信号と前記ＲＦ＿ＡＭＰからの信号をミックスするミキサーと、前記ミキサーの出力信号を増幅するＩＦ＿ＡＭＰと、前記ＩＦ＿ＡＭＰの出力信号の大きさを検出し前記ＲＦ＿ＡＭＰに対してＡＧＣ動作を指示するレベル検出部とを備え、アナログ放送およびデジタル放送の両方において処理を行うフロントエンド部と、アナログ放送受信時にのみアナログ放送の復調動作するアナログ復調部と、デジタル放送受信時にのみデジタル放送の復調動作するデジタル復調部とを備えたことを特徴とするアナログ／デジタル兼用チューナを提供する。
【０００８】
なお、装置に係る本発明は方法に係る発明としても成立し、方法に係る本発明は装置に係る発明としても成立する。
【発明の効果】
【０００９】
本発明によれば、隣接チャンネルの混信による影響を抑止したアナログ／デジタル兼用チューナや、テレビジョン受信装置が得られる。
【図面の簡単な説明】
【００１０】
【図１】本発明のアナログ／デジタル兼用チューナの構成を説明するためのブロック図。
【図２】地上アナログ放送をIF復調した後のアナログVIDEO出力波形図。
【図３】実施形態の信号レベルの隣接チャンネルとの関係を示す模式図。
【図４】従来のアナログ／デジタル兼用チューナの構成を説明するためのブロック図。
【図５】従来の信号レベルの隣接チャンネルとの関係を示す模式図。
【発明を実施するための形態】
【００１１】
以下、本発明の実施形態を説明する。
（実施形態）
以下、図面を参照しながら本発明の実施の形態について説明する。
図１は、本発明の一実施形態に係るアナログ／デジタル兼用チューナの構成を示す図である。まず構成について詳細に説明する。
図１において、アナログ／デジタル兼用チューナ１０は、地上デジタルＩＦ（中間周波数）復調ＩＣ５０と組み合わせて使用される。
アナログ／デジタル兼用チューナ１０は、地上デジタルＩＦ（中間周波数）復調ＩＣ５０や他のノイズ発生源からの飛び込み妨害防止のためシールド金具で覆うことで電波遮蔽されたたモジュールである。
【００１２】
アナログ／デジタル兼用チューナ１０は、地上波アンテナ入力端子１１０と、ＲＦ＿ＡＭＰ（利得可変型）１１３と、ミキサー１１４と、オシレータ（ＯＳＣ）１１４Ａと、ＩＦ＿ＡＭＰ１１４Ｂと、レベル検出部１１４Ｃと、アナログ放送用の映像ＩＦ（Intermediate Frequency：中間周波数）フィルタ１１５と、アナログ放送用の音声ＩＦフィルタ１１６と、デジタル放送用ＩＦ＿ＡＭＰ１２１と、地上アナログＩＦ復調ＩＣ１２０と、アナログ映像信号出力端子１３１と、ＳＩＦ（Sound Intermediate Frequency）信号出力端子１３２等から構成されている。
【００１３】
なお、ＩＩＣバス制御端子１５０はＩＩＣ（Ｉ２Ｃ、アイスクエアシー）バス経由で地上デジタルＩＦ（中間周波数）復調ＩＣ５０から又は地上デジタルＩＦ（中間周波数）復調ＩＣに接続された図示せぬマイコンからの制御を受けるためのものである。マイコンの制御機能は地上デジタルＩＦ（中間周波数）復調ＩＣが有していてもよい。
【００１４】
さてＲＦ＿ＡＭＰ１１３は、ＲＦ＿ＡＧＣ制御信号により制御され、地上波アンテナ入力端子１１０から入力されたＲＦ信号を増幅してミキサー１１４へ出力する。
ＲＦ＿ＡＭＰ１１３は、利得可変型となっている。ＲＦ＿ＡＭＰ１１３の前段に、利得固定型ＲＦ＿ＡＭＰ及びこのＲＦ＿ＡＭＰの出力を減衰させるアッテネータを設けてもよい。
【００１５】
ミキサー１１４は、ＲＦ＿ＡＭＰ１１３からのＲＦ信号とＯＳＣ１１４Ａからの発振信号とをミックスしてＩＦ（中間周波数）成分を取り出す。
オシレータ１１４Ａは、後述するマイコンによって発振周波数が制御される局部発振回路であり視聴者が選局した番組を視聴するために必要な局部発振周波数を発生する。以上のフロントエンド部のうちＲＦ＿ＡＭＰ等を除いた部分は、フロントエンドＩＣとして一体化されることが多い。
【００１６】
アナログ放送用の映像ＩＦフィルタ１１５およびアナログ放送用の音声ＩＦフィルタ１１６としては、ＳＡＷ（Surface Acoustic Wave：表面弾性波）フィルタが用いられる。
【００１７】
図２は、地上アナログ放送をIF復調した後のアナログVIDEO出力波形図である。横軸が時間で縦軸が電圧レベルである。
このVIDEO出力波形に於いてTV信号の弱〜強電界レベル変動があっても常にアナログVIDEO出力波形は同期信号先端であるA点が仮に1.5Vとすると常にA点を1.5VになるようAGCは動作する。それによりA点〜B点間の同期を含む映像信号レベルは1.0vpp一定レベルに保たれる。
【００１８】
AGC動作としては弱入力時はRF AMP１１３及び地上アナログＩＦ復調ＩＣ１２０内IF AMPは最大GAIN(最大利得)で働く。ANT入力が大きくなるとアナログVIDEO出力波形も大きくなるが同期信号先端であるA点を1.5V一定になるよう、先ず地上アナログＩＦ復調ＩＣ１２０内IF AMPにかかるIF AGC電圧によりこのIF AMPのGAINを低下させA点〜B点間の同期を含む映像信号レベルは1.0vpp一定にする。この領域動作をIF AGCループが担当する。更にANT入力が大きくなるとこのIF AMPのGAIN  REDUCTIONの限界及びRF AMP１１３でのレベルが大きくなり歪等が発生する。これを防ぐためRF AMP１１３のダイナミックレンジ(歪が発生する最大レベル)限界直前からRF AMP１１３のGAINを低下させるRF AGCループに切り換わる。先の同期信号先端電圧検出によりIF AGCをかけ、あるIF AGC電圧以下になるとRF AGCに切換えることにより自動切換えとなる。
【００１９】
デジタル受信時も同様にIF AGCとRF AGCがデジタル復調レベルを一定になるよう又はC/NがベストになるようAGCが動作する。
図３は、実施形態の信号レベルの隣接チャンネルとの関係を示す模式図である。横軸がチャンネルで縦軸が入力信号レベルである。（ａ）ＲＦ＿ＡＭＰ１１３、（ｂ）ＩＦ＿ＡＭＰ１１４Ｂ、（ｃ）ＳＡＷフィルタ１１５、（ｄ）ＩＦ＿ＡＭＰ（地上アナログＩＦ復調ＩＣ１２０内）とレベルが移り変わっていく様子を示している。
【００２０】
本実施形態AGCシステムは、弱電界〜中電界のRF AMPの歪のない低レベルで動作するIF_AGCは従来のSAW通過後の同期先端電圧検出方法を使用し、RF AMP歪の起こしやすい中〜強電界を受け持つRF_ AGCをSAW前のIF AMP１１４Ｂ段のPeakレベル検出を使用することにより受信チャンネルの隣接するチャンネルが強入力の場合でも強入力隣接チャンネルのレベルでRF_ AGCがかかる為、隣接チャンネルからの混信妨害を改善することと、デジタル受信のOFDM キャリアに適したIF Peakレベル検出の為、デジタル/アナログ共用チューナでRF_AGCの デジタル/アナログ共用化も可能となることを特徴としたＡＧＣシステムを提供する。
【００２１】
この実施形態のAGCシステムはSAWフィルタ通過前に RFAGC制御電圧を検出するため、RF AMP maxGAINが仮に30dBあるRF AMPに図３（ａ）の受信10チャンネル信号の隣接9chに受信チャンネルよりも充分レベルの大きな信号が入力されても隣接9ch 信号でRF_AGC動作を行うため、RF AMP maxGAINは0dBまで低下し隣接混信による大入力歪を軽減する。
【００２２】
本説明ではIFレベル100 dBμ以上からRF _ AGC動作開始と仮定する。
以下、このように構成されたアナログ／デジタル兼用チューナ１０の動作について詳細に説明する。
（地上アナログ放送受信時の動作）
まず、地上アナログ放送受信時におけるアナログ／デジタル兼用チューナ１０の動作について説明する。
例として地上アナログ放送の第１チャンネルを選局して受信するものとして説明する。地上アナログ放送の第１チャンネルのＲＦ信号は９１．２５［ＭＨｚ］である。
【００２３】
図示しない地上デジタル及び地上アナログ放送受信用アンテナより受信された信号は、地上波アンテナ入力端子１１０に供給される。
アンテナによって受信された放送信号は地上波アンテナ入力端子１１０を介してＲＦ＿ＡＭＰ１１３へ供給される。
ＲＦ＿ＡＭＰ１１３は、放送信号を増幅し、ミキサー１１４へ供給する。
オシレータ１１４Ａは、第１チャンネルを選局するために１５０［ＭＨｚ］に発振周波数が制御され、この発振周波数の信号をミキサー１１４へ供給する。
ミキサー１１４は、オシレータ１１４Ａからの発振周波数と、第１チャンネルのＲＦ信号の周波数との差である、１５０［ＭＨｚ］−９１．２５［ＭＨｚ］＝５８．７５［ＭＨｚ］の周波数のＩＦ信号をＩＦ＿ＡＭＰ  １１４Ｂへ出力する。
【００２４】
ＩＦ＿ＡＭＰ  １１４Ｂから出力されたＩＦ信号は、アナログ放送用の映像ＩＦフィルタ１１５およびアナログ放送用の音声ＩＦフィルタ１１６を介して、地上アナログＩＦ復調ＩＣ１２０に供給される。
【００２５】
地上アナログＩＦ復調ＩＣ１２０は、アナログ映像信号をアナログ映像信号出力端子１３１から出力すると共に、ＳＩＦ（Sound Intermediate Frequency）信号をＳＩＦ信号出力端子１３２から出力する。
【００２６】
レベル検出部１１４Ｃは、ＩＦアンプ１１４Ｂから入力されたアナログＲＦ＿ＡＧＣ出力信号に応じて、ＲＦ＿ＡＭＰ（利得可変型）１１３のゲインを制御する。
（地上デジタル放送受信時の動作）
次に、地上デジタル放送受信時におけるアナログ／デジタル兼用チューナ１０の動作について説明する。
例として地上デジタル放送の第１チャンネルを選局して受信するものとして説明する。地上デジタル放送の第１チャンネルのＲＦ信号中心周波数は、９３．００＋１／７［ＭＨｚ］である。
【００２７】
図示しないデジタル及びアナログ地上波放送受信用アンテナより受信された地上波信号は、地上波アンテナ入力端子１１０に供給される。
アンテナによって受信された放送信号は地上波アンテナ入力端子１１０を介してＲＦ＿ＡＭＰ１１３へ供給される。
ＲＦ＿ＡＭＰ１１３は、放送信号を可変の利得で増幅し、ミキサー１１４へ供給する。
オシレータ１１４Ａは、第１チャンネルを選局するために１５０＋１／７［ＭＨｚ］に発振周波数が制御され、この発振周波数の信号をミキサー１１４へ供給する。
ミキサー１１４は、オシレータ１１４Ａからの発振周波数と、第１チャンネルのＲＦ信号の周波数との差である、１５０＋１／７［ＭＨｚ］−（９３．００＋１／７［ＭＨｚ］）＝５７．００［ＭＨｚ］のＩＦ周波数が出力され、ＩＦ＿ＡＭＰ  １１４Ｂに供給する。
【００２８】
ＩＦ＿ＡＭＰ  １１４Ｂから出力されたＩＦ信号は、ダイオード１１８に導かれ、デジタル放送用ＩＦフィルタ、デジタル放送用ＩＦ＿ＡＭＰ１１９を介して１５３Ａ（＋側）、１５３Ｂ（−側）を介して地上デジタルＩＦ復調ＩＣ５０に供給される。この可変ＡＭＰに対しては地上デジタルＩＦ復調ＩＣ５０から端子１５４を介してＡＧＣが行われる。
【００２９】
地上デジタルＩＦ復調ＩＣ５０は、アナログ／デジタル兼用チューナ１０から入力されたＩＦ信号をデジタル復調し、デジタル復調後のデジタルＴＳ（トランスポートストリーム）出力信号として出力する。
【００３０】
図４は、従来のアナログ／デジタル兼用チューナの構成を示す図である。
アナログ／デジタル共用チューナ部においてアナログ受信時はANT入力信号はRF AMPを介してOSC (局部発信回路)]周波数とMIX(MIXER)され58.75MHz  IF信号となりIF AMPをから目的チャンネルのみ通過帯域を確保し隣接したチャンネルは大幅に減衰させるSAWフィルタを介して地上アナログIF復調ICに供される。地上アナログIF復調ICは可変GAINを持つ内蔵IF AMP及びそのGAIN制御を行うIF AGC/RFAGC出力/復調等で構成される。
【００３１】
この従来のAGCシステムはSAWフィルター通過後の地上アナログIF復調ICでIF AGC/ RFAGC制御電圧を検出するため、図５（ａ）のRF AMPに受信10チャンネル信号の隣接9chに受信チャンネルよりも充分レベルの大きな信号が有ってもSAWフィルター通過後のIF AMP入力では受信10チャンネル信号より低レベルとなり、IF段としては妨害が少なくなるが、RF  AGCは受信10チャンネル信号を検出するためRF段での隣接9チャンネルレベルによる RF段歪妨害が起こりやすい、又デジタル受信時とアナログ受信時でRF AGCループが異なるためデジタル/アナログRF AGC切換えが必要である。
【００３２】
以上本実施形態によるＡＧＣシステムは次の特徴がある。
（１）アナログ受信時のRF AGC検出を従来IF SAWフィルタ通過後の地上アナログＩＦ復調ＩＣ１２０同期先端レベル検出にて行っていた為は受信チャンネルの帯域以外はIF SAWフィルタで減衰するため受信チャンネルレベルに対して周辺に極めて強電界レベルの信号が配置されてもRF AMPのGR(GAIN REDUCTION)は受信チャンネルレベルのRF AGCで決まるためRF AMP内での隣接混信が悪化していたが、RF AGC検出をIF SAWフィルタを通過する前段に配置することにより隣接にある強入力レベルを検出しRF AMPに必要なGRをかけ隣接混信性能向上を計る。RF AGC動作の不要な中弱電界でのAGCはこれまでの同期先端レベル検出によるIF AGCを利用する。
【００３３】
（２）IF SAWフィルタを通過する前段にキャリアPEAKレベル検出によるRF AGC検出を配置しデジタル受信とアナログ受信で必要なRF AGC検出レベル設定を行うことでRF AGC検出部の共用化ができ、コストパフォーマンスの高い地上波デジタル/アナログ共用受信チューナを提供する。
【００３４】
なお、この発明は上記実施形態に限定されるものではなく、この他その要旨を逸脱しない範囲で種々変形して実施することができる。例えばレベル検出部１１４Ｃは、簡単にはコンデンサを用いたサンプルホールドの形でキャリアのレベルを保持するような形態のものでもよいが、多様な実施形態が可能である。
【００３５】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００３６】
１０…アナログ／デジタル兼用チューナ、５０…地上デジタルＩＦ（中間周波数）復調ＩＣ、１１０…地上波アンテナ入力端子、１１３…ＲＦ＿ＡＭＰ（利得可変型）、１１４…ミキサー、１１４Ａ…オシレータ（ＯＳＣ）、１１４Ｂ…ＩＦ＿ＡＭＰ、１１４Ｃ…レベル検出部、１１５…アナログ放送用の映像ＩＦ（Intermediate Frequency：中間周波数）フィルタ、１１６…アナログ放送用の音声ＩＦフィルタ、１２０…地上アナログＩＦ復調ＩＣ、１２１…デジタル放送用ＩＦ＿ＡＭＰ、１３１…アナログ映像信号出力端子、１３２…ＳＩＦ（Sound Intermediate Frequency）信号出力端子、１５０…ＩＩＣ制御入力端子、１５１…デジタルＲＦ＿ＡＧＣ入力端子、１５３Ａ…デジタルＩＦ出力端子＋、１５３Ｂ…デジタルＩＦ出力端子−、１５４…デジタルＩＦ＿ＡＧＣ入力端子、５２０…地上アナログＩＦ復調ＩＣ、５２１…アナログ／デジタルＲＦ＿ＡＧＣ切換え部。
【図１】
2010199853.tif 000003
【図２】
2010199853.tif 000004
【図３】
2010199853.tif 000005
【図４】
2010199853.tif 000006
【図５】
2010199853.tif 000007